(57)【要約】      （修正有）【課題】掛軸及び軸装して掛軸とするための和紙に関し、貴重さにふさわしい体裁を付与でき、客が集まったときに皆で見ることができる大きさを備えると共に、その展示も体裁よく行うことができ、保管にも便利な家系図の記載手段を提供する。【解決手段】軸装用の和紙に家系図を書し、これを掛軸に軸装する。本紙１に代ごとの親子関係のみを記した各代の記載の複数個を縦複数段に記載する。故人については、戒名を記しておけば、仏上表装と呼ばれる装飾性の高い豪華な掛軸とすることができる。縦長和紙の幅中央にＴ形の線図を、上下方向に３〜７段にして、当該線図相互の間及び最下段の前記線図と用紙の下端との間に名前を縦書きで墨書可能な空白を残して印刷した軸装用和紙を用意すれば、この考案の掛軸を容易にかつ体裁良く作成できる。【選択図】図１
0003131916.tif 000002
【実用新案登録請求の範囲】
【請求項１】
本紙(1)に家系図を表示してなる掛軸。
【請求項２】
本紙(1)に代ごとの親子関係のみを記した各代の記載(9)の複数個を縦複数段に記載した家系図を表示してなる掛軸。
【請求項３】
故人の戒名を記した家系図を表示した、請求項１記載の掛軸。
【請求項４】
故人の戒名を記した家系図を表示した、請求項２記載の掛軸。
【請求項５】
縦長和紙の幅中央にＴ形の線図(3)を、上下方向に３〜７段にして、当該線図相互の間及び最下段の前記線図と用紙の下端との間に名前を縦書きで墨書可能な空白(12)を残して、印刷により表示してなる、軸装用和紙。
【考案の詳細な説明】
【技術分野】
【０００１】
この考案は、掛軸及び軸装して掛軸とするための和紙に関するものである。
【背景技術】
【０００２】
周知のように掛軸は、縦長の和紙に描かれた書画（本紙、作品などと呼ばれている。以下、「本紙」と言う。）をそれより寸法の大きい縦長の表具地の略中央に貼付し、その周囲を裂地と呼ばれる装飾用の紋織物で囲ったもので、通常、床の間の壁面に吊るして使用する。表具地の下辺には軸棒が取り付けられており、使用しないときは、この軸棒に全体を巻きつけて保管する。
【０００３】
掛軸の本紙に描かれている書画は、たとえば書であれば、仏典や経典に出て来る言葉、格言、俳句や和歌などであり、画であれば、花鳥風月や仏像の絵である。掛軸を掛ける床の間は、仏間や客間と呼ばれる祭礼や来客用の和室に設けられており、催し事で客が集まるときには、その催し事にふさわしい書画が描かれた掛軸を吊るすことが一般に行われている。
【０００４】
一方、家族あるいは個人の由来や血縁関係を示するものとして家系図が古くから用いられており、家系図を記載するための用紙やノート状の冊子も提供されている。普通の人は、２〜３代前までの家系を知っている程度で、それより古い家系を知るには、戸籍や寺の過去帳を調べなければならない。従って、５代とか７代に亘る家系図を作成しようとすると、相当の努力を必要とする。家系図は、通常、個人がその系譜をたどるために作るものであるが、親類縁者などが集まった折には、それぞれの系譜が話題になることも多く、作成した家系図を出して皆に見せたりするものである。
【０００５】
家系図は、紙や冊子に描かれて箱に入れて保管しているのが普通であるが、部屋の装飾品ともなる物品に家系図を表したものとして、たとえば、表紙をけやきの板で記録紙と写真を貼る部分をはさみ紐により結んで収納することにより、家系図を兼ねた家宝とし床の間等のインテリアにするもの（特許文献１）、陶器、磁器、やきもの、ガラスなど陶磁器版に亡くなつた人の戒名、遺影、家系図、自分史、その人の言葉などを印刷したもの（特許文献２）、また、金属製薄板の鏡面仕上げ面にエツチング加工による線画を施し、その線画を施した面と同じ面に人物画のレリ−フを表示されることにより、家系図や業績などを人物画のレリ−フとともに記録・保存できるようにしたもの（特許文献３）が提案されている。
【特許文献１】実開昭６１‐２０６４８０号公報
【特許文献２】実願平０６‐ １５９２９号公報
【特許文献３】実用新案登録第３０６７３６１号公報
【考案の開示】
【考案が解決しようとする課題】
【０００６】
家系図は、個人ないし家族の由来を分かりやすく表したものであり、当該個人や家族にとって貴重な記録である。従って、一旦作成された家系図は大切に保管されて子孫に引き継がれ、必要な加筆が行われることとなる。このような家系図を客が集まったときに皆で見られるようにし、貴重なものにふさわしい品物に仕立てることは、特に苦労して家系図を作った者にとって望ましいことである。
【０００７】
しかし、特許文献１〜３に提案されているもの、例えば金属プレートや陶器板に家系図を表すことは、記念品や貴重品としての価値はあるけれども、多くの人が一時に見ながら故人や家族の由来を話題にするには小さすぎ、大きくしようとすると保管が不便である。また、特許文献２、３のものは、代が替わったときに、たとえ余白があっても追加的に記録することは、一般的に困難である。
【０００８】
この考案は、上述のような問題を解決するためになされたもので、個人や家族にとっての貴重な記録である家系図をその貴重さにふさわしい体裁を付与でき、客が集まったときに皆で見ることができる大きさを備えると共に、その展示も体裁よく行うことができ、保管に便利であると共に、必要であれば追加記録も可能な手段を提供しようとするものである。
【課題を解決するための手段】
【０００９】
この考案は、軸装用の和紙に家系図を書し、これを掛軸に軸装することにより、上記課題を解決したものである。すなわちこの考案の掛軸は、本紙１に家系図を表示してなることを特徴とする掛軸である。
【００１０】
掛軸の本紙１は、縦長の矩形であり、一方、家系図は、代が替わるごとに記載すべき人が多くなって山形ないしＶ形の形状になる。この山形ないしＶ形になるすべての血族ないし姻族を表そうとすると、一人一人の名前を小さくしか表すことができず、またそのような家系図を完成させることも大変に難しい。
【００１１】
この問題は、本紙１に代ごとの親子関係のみを記した各代の記載９の複数個を縦複数段に記載した家系図を表示することにより解決できる。すなわち、この考案では、直系ないし一系の家系のみを表すこととした。すなわち、両親と兄弟、その両親の直系となる一方についての両親と兄弟、というように代を遡って表示する。祖先の兄弟の記録を得るのが困難なときは、各代を両親と直系の一人の子のように表示する。このようにすれば、代ごとに横に併記される名前の数は、兄弟の数だけ又は一人だけとなり、それほど広い紙幅を必要とせず、縦長の軸装用の和紙に体裁よく、かつ見やすく表示することができる。
【００１２】
家系図には家紋２を表示することが多く、また各人の生没年月日５を併記することも行われている。この考案の掛軸においてもそのような表示を行うことができ、また本紙の右上に「○○家家系図」のような表題を設けるのがよい。更に故人については、その名前４と共に戒名１０を記しておけば、仏上表装ないし金襴と呼ばれる表装を用いることができ、装飾性の高い豪華な掛軸とすることができる。すなわち、本紙１に故人の戒名を記した家系図を表示した掛軸とするのである。
【００１３】
この考案の掛軸は、当然、１本ごとに本紙１の記載内容が異なる。そこで、縦長和紙の幅中央にＴ形の線図３を、上下方向に３〜７段にして、当該線図相互の間及び最下段の前記線図と用紙の下端との間に名前を縦書きで墨書可能な空白１２を残して、印刷により表示してなる軸装用和紙を用意すれば、手書きやプリンタなどによってそれぞれの空白部に氏名や戒名、生没年月日などを記載してゆけばよく、そのような用紙を用いることにより、この考案の掛軸に軸装するための本紙を間違いなくかつ体裁良く作成できる。
【考案の効果】
【００１４】
以上の説明から理解されるように、この考案は直系の家系図を表した本紙を軸装した掛軸であり、そのような掛軸を作成するための用紙である。この考案により、個人や家族にとって貴重な記録である家系図にその貴重さに見合う装飾を付与でき、保管に便利で必要に応じて容易に展示することができ、展示したときに和室にふさわしい優れた雰囲気をかもし出すことができる。仏事などで親類縁者が集まったときに、床の間にこの考案に係る掛軸を吊るすことにより、皆で同時に家系図を見ることができ、先祖や家族についての話題を提供できると共に、家族や親戚の絆を深くすることができるという効果がある。
【考案を実施するための最良の形態】
【００１５】
以下、図面を参照して、この考案を更に説明する。図１は、この考案に係る掛軸の一例を示した図で、丸表装といわれる表装の例である。図に示すように、掛軸の本紙１に縦書きで直系の家系図が描かれている。図の例は五代までを記した家系図で、本紙１の右上に「○○家家系図」と表題が記され、天の中央に家紋２が記されている。
【００１６】
各代の記載様式の一例が図２に示されている。本紙１の幅方向中央に描いたＴ形の線３の上に初代、二代などと記され、そのＴ形の線図の両側に両親の名前（俗名）４、４が記され、その横には生年月日と没年月日５がそれぞれ併記されている。Ｔ形の線３の下端に連接して分岐線６が描かれ、それぞれの枝線７の下に長男、長女、次女・・・と、子の出生順が記され、その下に子の名前８が記されている。このような一代ごとの記載９が図１の例では縦に五代記されている。図２に記されているように、各代の連続関係は、初代の長男□□□○が二代の一方の親４ａとして記されており、初代と二代の続柄が名前の照合で分かるようになっている。
【００１７】
このように各代ごとの親子関係を示した各代の記載９を縦に順に配置することにより、直系の家系を表すことができる。そして、この記載方法によれば、各代を一定の様式で描くことができ、代が経るごとに図の幅が広がることもなく、各代を縦に順に並べることによって、図１に示すように、縦長な本紙１に家系を体裁よく記載することができる。このように記載した本紙１を軸装して、この考案の掛軸を得る。
【００１８】
掛軸の表装には、最も簡素な丸表装仕立、豪華な雰囲気を持つ三段表装仕立、更に最も格式が高いと言われる仏上表装仕立など仕立て方に種類があるが、仏上表装仕立は、仏事に関連する書画の表装に用いるのが一般で、図２に示したような俗名のみを記した家系図では、仏上表装仕立に仕立て上げることは慣習上できないとされている。
【００１９】
そこで、仏上表装仕立にしたいときは、図３に示すように、故人となっている親の俗名４、４の横に戒名１０、１０を併記するのがよい。俗名を記載しないで戒名のみであってもよい。図３の例では、俗名４の下に没年齢並びに西暦の生年及び没年１１を記している。その他の記載事項として、出生地、簡単な経歴などを記載することもできる。なお、生没年月日が分からないときは空白とし、名前や戒名が分からないときは、不詳と記すか、空白として後で追記できるようにする。
【００２０】
代が古くなると、先祖の兄弟の名前を調べるのが困難になることが多い。そのようなときは、図４に示すように、各代の記載を両親４と直系の一人の子８のみの記載とすればよい。
【００２１】
上述したような家系図を記載する本紙として、図５に示すような所定寸法の和紙の幅中央にＴ形の線図３を子の氏名を記載するための空間１２を隔てて多段に予め印刷した用紙１３を用意すれば、図２〜４に記した様式による家系図を体裁よく作成することができる。用紙１３の右上には、家名を入れる空白を空けて、「家、家系図」と表題を印刷し、天の中央には家紋を記載する空所１４を残しておく。
【００２２】
このような用紙１３を用い、Ｔ形の線図３の頂部に代替わりの順位を記入し、両側に親の俗名や戒名を記入し、Ｔ形の線図３の下端から各代の子の数に対応する分岐線を描いて、その下に子の名前を記載するという手順で掛軸の本紙を作成する。家名や戒名、名前、生没年月日などの記載は、手書きによる墨書あるいは毛筆書体をインクジェットプリンタで所定位置に印刷することによって記載できる。このようにして作成した本紙を表具師に依頼して軸装することにより、この考案の掛軸が得られる。
【図面の簡単な説明】
【００２３】
【図１】この考案の一実施例を示す正面図
【図２】図１の掛軸の本紙の上部を拡大して示した図
【図３】戒名を併記した家系図の例を示した図２と同様の図
【図４】代の表示を両親と直系の一人の子のみとした家系図の例を示した図３と同様の図
【図５】この考案の掛軸用和紙の一例を示した正面図
【符号の説明】
【００２４】
１  掛軸の本紙
３  Ｔ型の線
９  一代ごとの記載
12  子の氏名を記載するための空間
【図１】
0003131916.tif 000003
【図２】
0003131916.tif 000004
【図３】
0003131916.tif 000005
【図４】
0003131916.tif 000006
【図５】
0003131916.tif 000007